(57)【要約】      （修正有）【課題】導電性に優れた安全弁付き封口体を備えた密閉型電池を提供する。【解決手段】鉄系材料からなり、電池外方に突出した外部端子部と、外部端子部の周縁に位置するフランジ部５ｂと、フランジ部５ｂに設けられた、電池外方面側よりも電池内方面側のほうが径が小さい穴５ｃと、を有する端子キャップ５と、アルミニウム系材料からなり、電池内方に突出した通電接触部と、通電接触部の周縁に位置する周辺部３ｂと、周辺部３ｂに設けられたピン状突起３ｃと、を有する安全弁３と、を準備する準備ステップと、安全弁のピン状突起３ｃを端子キャップの穴５ｃにはめ込み、ピン状突起３ｃの先端部を押しつぶして、ピン状突起３ｃと穴５ｃとをリベット固定する仮固定ステップと、リベット固定部近傍の端子キャップを溶接するステップと、を備える。【選択図】図３
2010086782.tif 000002
【特許請求の範囲】
【請求項１】
有底筒状の外装缶（２０）の開口部に封口体（１０）がカシメ固定することにより密閉された密閉型電池の製造方法において、
鉄系材料からなり、電池外方に突出した外部端子部（５ａ）と、前記外部端子部（５ａ）の周縁に位置するフランジ部（５ｂ）と、前記フランジ部（５ｂ）に設けられた、電池外方面側よりも電池内方面側のほうが径が小さい穴（５ｃ）と、を有する端子キャップ（５）と、アルミニウム系材料からなり、電池内方に突出した通電接触部（３ａ）と、前記通電接触部（３ａ）の周縁に位置する周辺部（３ｂ）と、前記周辺部（３ｂ）に設けられたピン状突起（３ｃ）と、を有する安全弁（３）と、を準備する準備ステップと、
前記安全弁のピン状突起（３ｃ）を前記端子キャップの穴（５ｃ）にはめ込み、前記ピン状突起（３ｃ）の先端部を押しつぶして、前記ピン状突起（３ｃ）と前記穴（５ｃ）とをリベット固定する仮固定ステップと、
前記リベット固定部近傍の前記端子キャップに高エネルギー線を照射し、溶接する溶接ステップと、
を備えることを特徴とする密閉型電池の製造方法。
【請求項２】
請求項１に記載の密閉型電池の製造方法において、
前記端子キャップの穴が、ザグリ穴である、
ことを特徴とする密閉型電池の製造方法。
【請求項３】
請求項１又は２に記載の密閉型電池の製造方法において、
前記高エネルギー線が、レーザである、
ことを特徴とする密閉型電池の製造方法。
【請求項４】
請求項１、２又は３に記載の密閉型電池の製造方法において、
前記高エネルギー線を、前記リベット固定部近傍の前記端子キャップの壁面に照射する、
ことを特徴とする密閉型電池の製造方法。
【請求項５】
有底筒状の外装缶（２０）の開口部に封口体（１０）をカシメ固定することにより密閉した密閉型電池において、
前記封口体（１０）は、
鉄系材料からなり、電池外方に突出した外部端子部（５ａ）と、前記外部端子部（５ａ）の周縁に位置するフランジ部（５ｂ）と、を有する端子キャップ（５）と、
アルミニウム系材料からなり、前記端子キャップ（５）より電池内方に位置し、電池内方に突出した通電接触部（３ａ）と、前記通電接触部（３ａ）の周縁に位置する周辺部（３ｂ）と、を有し、
前記端子キャップ（５）のフランジ部（５ｂ）と前記安全弁（３）の周辺部（３ｂ）とが溶接され、
前記溶接部（７）は、前記フランジ部（５ｂ）の電池内方面と電池外方面との間に位置し、
前記溶接部（７）の中央部には前記安全弁材料が存在し、且つその周縁に前記端子キャップ材料と前記安全弁材料とが渾然一体となった溶融凝固領域（９）を有する、
ことを特徴とする密閉型電池。
【発明の詳細な説明】
【技術分野】
【０００１】
本発明は、密閉型電池に関し、より詳しくは安全弁付き封口体を備えた密閉型電池の導電性の向上に関する。
【背景技術】
【０００２】
非水電解質二次電池は、高いエネルギー密度を有し、高容量であるため、携帯機器や電動工具等の駆動電源として広く利用されている。
【０００３】
非水電解質二次電池には、可燃性の有機溶媒が用いられているため、電池の安全性の確保が求められている。このため、電池を密閉する封口体に、電池内圧が上昇した場合に動作する電流遮断機構を組み込むことが行われている。
【０００４】
図１に、電流遮断機構を組み込んだ封口体を備えた密閉型電池を示す。図１に示すように、封口体１０は、端子キャップ５と、端子キャップの電池内方面に位置する安全弁３と、安全弁の電池内方面に位置する端子板１と、安全弁３と端子板１とを離隔し絶縁する絶縁板２とを有している。ここで、端子キャップ１と安全弁３との導電接触を保つために、端子キャップ１及び安全弁３の周縁部が、溶接されている。
【０００５】
この密閉型電池の電流遮断機構の動作について説明する。電池内圧が上昇したとき、安全弁３の電池内側に向かって突出した凹部（通電接触部）が、電池外方に向かって膨らむように変形する。電池内圧の上昇が続くと、安全弁３の通電接触部に接続された端子板１が破断して、端子キャップ５への電流供給が遮断される。
【０００６】
このような電流遮断機構においては、安全弁は上記動作をスムースに行える必要があり、その材料には変形しやすいことが求められ、他方、端子キャップは外部環境に面するため、その材料には一定の強度が求められる。このため、安全弁にはアルミニウム系の材料が用いられ、端子キャップには鉄系の材料が用いられている。
【０００７】
ところで、電動工具など大電流で放電する用途に用いる非水電解質二次電池は、放電時に電池温度が８０℃以上の高温となることがある。そして電池の使用により繰り返し高温に曝され、やがて絶縁板２あるいはガスケット３０であるような樹脂製部品の弾力性が失われる。端子キャップ５と安全弁３の通電が接触のみのときは、樹脂製部品の弾性が失われることにより接触が緩み、電池の内部抵抗が上昇したり不安定になったりする。よって、端子キャップ５と安全弁３とを溶接しておくことにより、樹脂製部品の弾力性が低下しても電池内部抵抗上昇を防止できる。
【０００８】
しかし、鉄系材料とアルミニウム系材料の融点や電気特性が大きく異なるので、両者を強固に溶接することが難しい。
【０００９】
封口体に関する技術としては、下記特許文献１〜４が挙げられる。
【００１０】
【特許文献１】特開2006-351512号公報
【特許文献２】特開2000-90892号公報
【特許文献３】特公平5-74904号公報
【特許文献４】特開2007-194167号公報
【００１１】
特許文献１は、金属製フィルターの内部に金属製防爆弁体と金属製薄肉弁体とからなる安全機構と樹脂製インナーガスケットと金属製キャップとを収納して構成された封口体において、金属製フィルターとこの金属製フィルターの内部に収納される全ての金属製部材がレーザ溶接により結合された封口体を開示している。この技術では、金属製キャップにニッケルメッキされた鉄が用いられ、その他の部材にアルミニウムが用いられているが、上述したように、アルミニウムと鉄との融点の差が大きいため、両者を強固にレーザ溶接できず、溶接状態が不安定で電池内部抵抗が安定しないという問題がある。
【００１２】
特許文献２は、鉄製の蓋キャップの周縁をアルミニウム製の蓋ケースの周縁でカシメ、両者をスポット溶接した封口体を開示している。しかし、上述したように、アルミニウムと鉄との電気特性の違いが大きいため、両者を強固にスポット溶接できず、溶接状態が不安定で電池内部抵抗が安定しないという問題がある。
【００１３】
特許文献３は、円筒状部とこの円筒状部の外周に設けられ複数の孔を有するつば部を形成した電池キャップと、電池キャップの板厚よりも大きい突出高さを持つ複数の凸状部を設けた金属板とより構成され、電池キャップの孔部を金属板の凸状部に嵌め合わせ、電池キャップの孔部より突出した金属板の凸状部の端面を圧接して両者を固定した封口体を開示している。しかし、この技術では、電池キャップと金属板との電気的接続が、圧接であり、電池内部抵抗が安定しないという問題がある。
【００１４】
特許文献４は、鉄系材料からなる端子キャップとアルミニウム系材料からなる安全弁を備える封口体において、端子キャップのフランジ部と安全弁のフランジ部の少なくとも一方に隙間を設け、隙間に対応する位置に端子キャップ側から高エネルギー線を照射することにより、端子キャップと安全弁を溶接することを開示している。しかし、溶接目標である隙間の位置を端子キャップ側から特定すること、さらに確実に溶接されたことの確認が困難であるという問題がある。
【発明の開示】
【発明が解決しようとする課題】
【００１５】
本発明は上記課題を解決するものであり、導電性に優れた安全弁付き封口体を備えた密閉型電池を提供することを目的とする。
【課題を解決するための手段】
【００１６】
上記課題を解決するための密閉型電池の製造方法に関する本発明は、有底筒状の外装缶（２０）の開口部に封口体（１０）がカシメ固定することにより密閉された密閉型電池の製造方法において、鉄系材料からなり、電池外方に突出した外部端子部（５ａ）と、前記外部端子部（５ａ）の周縁に位置するフランジ部（５ｂ）と、前記フランジ部（５ｂ）に設けられた、電池外方面側よりも電池内方面側のほうが径が小さい穴（５ｃ）と、を有する端子キャップ（５）と、アルミニウム系材料からなり、電池内方に突出した通電接触部（３ａ）と、前記通電接触部（３ａ）の周縁に位置する周辺部（３ｂ）と、前記周辺部（３ｂ）に設けられたピン状突起（３ｃ）と、を有する安全弁（３）と、を準備する準備ステップと、前記安全弁のピン状突起（３ｃ）を前記端子キャップの穴（５ｃ）にはめ込み、前記ピン状突起（３ｃ）の先端部を押しつぶして、前記ピン状突起（３ｃ）と前記穴（５ｃ）とをリベット固定する仮固定ステップと、前記リベット固定部近傍の前記端子キャップに高エネルギー線を照射し、溶接する溶接ステップと、を備えることを特徴とする。
【００１７】
この構成では、リベット固定により端子キャップと安全弁とを仮固定した後に、融点の高い鉄系材料からなる端子キャップ側に高エネルギー線を照射して溶接しているが、この方法によると、高エネルギー線により端子キャップの融点の高い鉄系材料が溶融し、この溶融した鉄系材料が、照射スポットの近傍に位置するリベット固定部に流れ込み、溶融鉄材料の有する熱エネルギーにより、リベット固定部のアルミニウム系材料（安全弁のピン状突起）が溶融する。この結果、安全弁と端子キャップとが良好に且つ強固に溶接され、安全弁と端子キャップ間の抵抗が安定して小さくなる。よって、高い導電性を有する安全弁付き封口体を備えた密閉型電池が得られる。
【００１８】
ここで、高エネルギー線を安全弁側に照射した場合、次のような問題が生じる。
（１）融点の低いアルミニウム系材料を溶かす程度のエネルギーを加えた場合、融点の高い鉄系材料がほとんど溶融しないため、良好な溶接が行えない。
（２）融点の高い鉄系材料を溶かす程度のエネルギーを加えた場合、融点の低いアルミニウム系材料が蒸散してしまい、良好な溶接が行えない。
【００１９】
ここで、鉄系材料とは、鉄及び鉄合金を意味し、アルミニウム系材料とは、純アルミニウム及びアルミニウム合金を意味する。
【００２０】
上記構成において、前記端子キャップの穴が、ザグリ穴である構成とすることができる。
【００２１】
ザグリ穴とは、図２（ａ）に示すように、段差のある穴を意味するが、この構成によると、ザグリ穴の段差部分を利用して良好にリベット固定を行うことができるので、より好ましい。
【００２２】
高エネルギー線としては、エネルギーの制御が容易なレーザ光線を用いることが好ましい。
【００２３】
また、溶融鉄材料を効率的にリベット固定部に流し込むために、高エネルギー線を穴の壁面に照射することが好ましい。
【００２４】
また、リベット固定の後に端子キャップと安全弁とが回転することを防止するため、端子キャップの穴の数と、安全弁のピン状突起の数とを、それぞれ２以上とすることが好ましい。また、コストと効果の兼ね合いから、上限をそれぞれ４つとすることが好ましい。
【００２５】
ここで、安全弁のピン状突起の直径と端子キャップの穴の電池内方側の径のクリアランスは０．０１〜０．１ｍｍであることが好ましい。安全弁のピン状突起の高さは、端子キャップの電池内方側の穴電池外方側に０．３〜０．７ｍｍ突出することが好ましい。端子キャップの穴の電池外方側の径は、電池内方側の径より０．２〜０．７ｍｍ大きいことが好ましい。
【００２６】
また、端子キャップと安全弁との溶接は、リベット固定部の外周を全て囲うように行ってもよく、１点から数点のスポット溶接であってもよい。
【００２７】
上記密閉型電池の製造方法にかかる本発明により製造される密閉型電池は、以下に示す構成となる。
【００２８】
有底筒状の外装缶（２０）の開口部に封口体（１０）をカシメ固定することにより密閉した密閉型電池において、前記封口体（１０）は、鉄系材料からなり、電池外方に突出した外部端子部（５ａ）と、前記外部端子部（５ａ）の周縁に位置するフランジ部（５ｂ）と、を有する端子キャップ（５）と、アルミニウム系材料からなり、前記端子キャップ（５）より電池内方に位置し、電池内方に突出した通電接触部（３ａ）と、前記通電接触部（３ａ）の周縁に位置する周辺部（３ｂ）と、を有し、前記端子キャップ（５）のフランジ部（５ｂ）と前記安全弁（３）の周辺部（３ｂ）とが溶接され、前記溶接部（７）は、前記フランジ部（５ｂ）の電池内方面と電池外方面との間に位置し、前記溶接部（７）の中央部には前記安全弁材料が存在し、且つその周縁に前記端子キャップ材料と前記安全弁材料とが渾然一体となった溶融凝固領域（９）を有することを特徴とする。
【発明の効果】
【００２９】
上記本発明によると、導電性に優れた安全弁付き封口体を得る事ができ、これを用いてなる密閉型電池の電流取り出し効率を高めることができる。
【発明を実施するための最良の形態】
【００３０】
（実施の形態１）
本発明を実施するための最良の形態を、図面を用いて詳細に説明する。図１は、本実施の形態にかかる密閉型電池の要部拡大断面図である。
【００３１】
図１に示すように、本実施の形態にかかる密閉型電池に用いる封口体１０は、電極タブ８を介して正極または負極と電気的に接続される端子板１と、電池外方に突出した外部端子部を有する端子キャップ５と、端子板１と端子キャップ５との間に介在し、電池内部圧力が上昇した際に変形して、端子板１と端子キャップ５との電気的接続を遮断する安全弁３と、安全弁３が電流を遮断する際、安全弁３と端子板１との電気的接触を防止する絶縁部材２と、を備えている。そして、電極体４０の一方の電極と端子板１とが、電極タブ８を介して接続されている。
【００３２】
安全弁３の周辺部と端子キャップ５のフランジ部とは、レーザ溶接により固定されている。この溶接部分を図３（ｅ）に示す。端子キャップ５と安全弁３との溶接部７は、端子キャップ５のフランジ部５ｂの電池内方面と電池外方面との間に位置し、溶接部７の中央部には安全弁３の材料であるアルミニウムが存在し、且つその周縁に端子キャップ５の材料である鉄と安全弁３の材料であるアルミニウムとが渾然一体となった溶融凝固領域９を有している。なお、同図では、図中左側のみがレーザ照射された状態を示している。
【００３３】
図１に示すように、電極体４０と非水電解質とを収容した外装缶１０の開口部に、絶縁ガスケット３０を介してこの封口体１０が配置され、カシメ固定されている。
【００３４】
上記構造のリチウムイオン二次電池の作製方法について説明する。
【００３５】
＜正極の作製＞
コバルト酸リチウム（ＬｉＣｏＯ2）からなる正極活物質と、アセチレンブラックまたはグラファイト等の炭素系導電剤と、ポリビニリデンフルオライド（ＰＶＤＦ）からなる結着剤とを、質量比９０：５：５の割合で量り採り、これらをＮ−メチル−２−ピロリドンからなる有機溶剤等に溶解させた後、混合し、正極活物質スラリーを調製した。
【００３６】
次に、ダイコーターまたはドクターブレード等を用いて、アルミニウム箔（厚み：２０μｍ）からなる正極芯体の両面に、この正極活物質スラリーを均一な厚みで塗布した。
【００３７】
この極板を乾燥機内に通して上記有機溶剤を除去し、乾燥極板を作製した。この乾燥極板を、ロールプレス機を用いて圧延し、裁断して、正極板を作製した。
【００３８】
本実施の形態にかかるリチウムイオン二次電池で用いる正極活物質としては、上記コバルト酸リチウム以外にも、例えばニッケル酸リチウム（ＬｉＮｉＯ2）、マンガン酸リチウム（ＬｉＭｎ2Ｏ4）リン酸鉄リチウム（ＬｉＦｅＰＯ4）、マンガンニッケルコバルト酸リチウム（ＬｉＭｎxＮｉyＣｏzＯ2  ｘ＋ｙ＋ｚ＝１）、またはこれらの酸化物に含まれる遷移金属の一部を他の元素で置換した酸化物等のリチウム含有遷移金属複合酸化物を単独で、あるいは二種以上を混合して用いることができる。
【００３９】
＜負極の作製＞
人造黒鉛からなる負極活物質と、スチレンブタジエンゴムからなる結着剤と、カルボキシメチルセルロースからなる増粘剤とを、質量比９８：１：１の割合で量り採り、これらを適量の水と混合し、負極活物質スラリーを調製した。
【００４０】
次に、ダイコーターまたはドクターブレード等を用いて、銅箔（厚み：１５μｍ）からなる負極芯体の両面に、この負極活物質スラリーを均一な厚さで塗布した。
【００４１】
この極板を乾燥機内に通して水分を除去し、乾燥極板を作製した。その後、この乾燥極板を、ロールプレス機により圧延し、裁断して、負極板を作製した。
【００４２】
ここで、本実施の形態にかかるリチウムイオン二次電池で用いる負極材料としては、例えば天然黒鉛、カーボンブラック、コークス、ガラス状炭素、炭素繊維、あるいはこれらの焼成体等の炭素質物、または前記炭素質物と、リチウム、リチウム合金、およびリチウムを吸蔵・放出できる金属酸化物からなる群から選ばれる１種以上との混合物を用いることができる。
【００４３】
＜電極体の作製＞
上記正極と負極とポリエチレン製微多孔膜からなるセパレータとを、巻き取り機により捲回し、絶縁性の巻き止めテープを設け、巻回電極体を完成させた。
【００４４】
〈封口体の作製〉（準備ステップ）
ニッケルメッキされた鉄板の中心部を、プレス器具６１を用いてプレスして外部端子部５ａ（凸部）を形成した（図４（ａ）参照）。
この後、フランジ部５ｂ（凸部の外周部分）に打ち抜き穴を開けた（図４（ｂ）参照）。
この後、穴を上方向からプレス器具６２を用いてプレスして、穴の直径を部分的に広げた（図４（ｃ）参照）。このとき、プレスされた反対面側は、穴の径が図４（ｂ）に示す状態よりも小さくなる。
この後、再度穴を打ち抜くことによりプレスにより狭まった穴を拡大した（図４（ｄ）参照）。
この後、円盤状に打ち抜いて、ザグリ穴５ｃを備える端子キャップ５を作製した。
【００４５】
アルミニウム板の中心部をプレス器具７１を用いてプレスし、通電接触部（凹部３ａ）を形成した（図５（ａ）参照）。
この後、周辺部３ｂ（凸部の外周部分）を下面からプレス器具７２ａ，ｂ，ｃを用いて押圧してピン状突起３ｃを形成した（図５（ｂ）参照）。
その後円盤状に打ち抜いて、安全弁３を作製した（図５（ｃ）参照）。
この作製方法では、ピン状突起３ｃの反対面に、押圧による変形によって凹形状の部分が形成されるが（図５（ｃ）参照）、この凹形状の部分は本発明の必須の構成要素ではない。
【００４６】
凸部の径・高さ、ザグリ穴の寸法は、図２に示すとおりである。
【００４７】
（仮固定ステップ）
この後、上記安全弁３の上面に、上記端子キャップ５を配置し、端子キャップ５のザグリ穴５ｃに安全弁３のピン状突起３ｃをはめ込んだ（図３（ａ）参照）。
この後、リベット固定具５１ａ，ｂを用いて上下方向から押圧し、ピン状突起３ｃの先端部をつぶして、リベット固定部を形成して仮固定した（図３（ｂ）、（ｃ）参照）。
【００４８】
（溶接ステップ）
リベット固定部近傍の端子キャップの穴の壁面にレーザ光線を照射し（図３（ｄ）参照）、リベット固定部を溶接した（図３（ｅ）参照）。
【００４９】
この後、この安全弁３の下面に、ポリプロピレン製の絶縁板２を介してアルミニウム製の端子板１を溶接し、封口体１０を作製した。
【００５０】
＜電解液の作製＞
エチレンカーボネート（ＥＣ）とプロピレンカーボネート（ＰＣ）とジエチルカーボネート（ＤＥＣ）とを体積比１：１：８の割合（１気圧、２５℃と換算した場合における）で混合した非水溶媒に、電解質塩としてのＬｉＰＦ6を１．０Ｍ（モル／リットル）の割合で溶解したものを電解液とした。
【００５１】
ここで、本実施の形態にかかるリチウムイオン二次電池で用いる非水溶媒としては、上記の組み合わせに限定されるものではなく、例えばエチレンカーボネート、プロピレンカーボネート、ブチレンカーボネート、γ−ブチロラクトン等のリチウム塩の溶解度が高い高誘電率溶媒と、ジエチルカーボネート、ジメチルカーボネート、エチルメチルカーボネート、１，２−ジメトキシエタン、テトラヒドロフラン、アニソール、１，４−ジオキサン、４−メチル−２−ペンタノン、シクロヘキサノン、アセトニトリル、プロピオニトリル、ジメチルホルムアミド、スルホラン、蟻酸メチル、蟻酸エチル、酢酸メチル、酢酸エチル、酢酸プロピル、プロピオン酸エチル等の低粘性溶媒とを混合させて用いることができる。さらに、前記高誘電率溶媒や低粘性溶媒をそれぞれ二種以上の混合溶媒とすることもできる。また、電解質塩としては、上記ＬｉＰＦ6以外にも、例えばＬｉＮ（Ｃ2Ｆ5ＳＯ2）2、ＬｉＮ（ＣＦ3ＳＯ2）2、ＬｉＣｌＯ4またはＬｉＢＦ4等を単独で、あるいは２種以上混合して用いることができる。
【００５２】
＜電池の組み立て＞
上記電極体の正極集電体と角形外装缶の缶底とを溶接し、上記電解液と外装缶内に注液し、封口体の端子板と負極集電体と電極タブ８を介して電気的に接続した後、外装缶の開口部を、ポリプロピレン製ガスケットを介してカシメ加工して封止し、本実施の形態にかかる電池を組み立てた。
【００５３】
（実施例１）
上記実施の形態と同様にして、実施例１に係る電池を作製した。なお、安全弁のピン状突起及び端子キャップの穴の数は、それぞれ２とした。
【００５４】
（比較例１）
リベット固定部のアルミニウム（ピン状突起３ｃ）にレーザ照射した（エネルギー量は上記実施例１と等しい）こと以外は、上記実施の形態と同様にして、比較例１に係る電池を作製した（図６参照）。なお、安全弁のピン状突起及び端子キャップの穴の数は、それぞれ２とした。
【００５５】
（比較例２）
リベット固定部にレーザ照射しなかった（仮固定までを行った）こと以外は、上記実施の形態と同様にして、比較例２に係る電池を作製した。なお、安全弁のピン状突起及び端子キャップの穴の数は、それぞれ２とした。
【００５６】
〔抵抗の測定〕
上記実施例１および比較例１、２と同一の条件で電池をそれぞれ３０個作製し、定電流１Ｉｔ（１２５０ｍＡ）で電圧が４．２Ｖとなるまで充電し、その後定電圧４．２Ｖで電流が０．０５Ｉｔ（６２．５ｍＡ）となるまで充電した。この後、７５℃、湿度９０％の恒温槽に１０日間放置した。この電池について、リベット固定後、レーザ溶接後、保存後の封口体の電気抵抗を測定した。この結果を下記表１に示す。
【００５７】
【表１】
2010086782.tif 000003
【００５８】
上記表１から、リベット固定後に端子キャップにレーザ照射して溶接した実施例１は、レーザ後及び保存後の抵抗がともに０．１ｍΩであるのに対し、安全弁にレーザ照射して溶接した比較例１は、レーザ後が０．３ｍΩ、保存後が０．６ｍΩ、溶接していない比較例２は、保存後が０．６ｍΩであり、実施例１よりも大きいことがわかる。
【００５９】
このことは、次のように考えられる。比較例２では、レーザ溶接をしていないため、安全弁と端子キャップの電気的接触がリベット固定部での仮固定による接触のみであり、抵抗を安定して十分に小さくできない。また、比較例１では、融点の低いアルミニウムにレーザ照射して溶接しており、レーザ熱によるアルミニウムの蒸発により、良好で強固な溶接が行われず、抵抗を安定して十分に小さくできない。この一方、実施例１では、融点が高い鉄にレーザ照射して溶接しており、このとき溶融した鉄がリベット固定部に流れ込み、溶融鉄の余熱により融点の低いアルミニウムの一部が溶融して接合されるので、溶接部７に鉄とアルミニウムとが渾然一体となった溶融凝固領域９が形成され（図３（ｅ）参照）、良好に溶接される。このため、両者間の電気的接触性が向上して、安定して抵抗が小さくなる。特に、高湿高温環境で保存した場合には、安全弁と端子キャップとの接触性が害されやすいが、安全弁と端子キャップとが良好で強固に溶接された実施例１では、高湿高温保存しても、抵抗を上昇させることがない。
【産業上の利用可能性】
【００６０】
以上説明したように、本発明によると、導電性に優れた安全弁付き封口体を実現でき、これを備えた密閉型電池の電流の取り出し効率を向上できる。よって、産業上の意義は大きい。
【図面の簡単な説明】
【００６１】
【図１】図１は、本発明にかかる密閉型電池の断面図である。
【図２】図２は、本発明にかかる密閉型電池に用いる封口体の端子キャップと安全弁とを示す図である。
【図３】図３は、本発明にかかる密閉型電池において、端子キャップと安全弁とを溶接する工程を説明する図である。
【図４】図４は、本発明にかかる密閉型電池において、端子キャップを作製する工程を説明する図である。
【図５】図５は、本発明にかかる密閉型電池において、安全弁を作製する工程を説明する図である。
【図６】図６は、比較例１にかかる密閉型電池において、端子キャップと安全弁とを溶接する工程を説明する図である。
【符号の説明】
【００６２】
１  端子板
２  絶縁板
３  安全弁
５  端子キャップ
７  溶接部
８  電極タブ
９  溶融凝固領域
１０  封口体
２０  外装缶
３０  絶縁ガスケット
４０  電極体
５１  リベット固定具
６１  プレス器具
６２  プレス器具
７１  プレス器具
７２  プレス器具
【図１】
2010086782.tif 000004
【図２】
2010086782.tif 000005
【図３】
2010086782.tif 000006
【図４】
2010086782.tif 000007
【図５】
2010086782.tif 000008
【図６】
2010086782.tif 000009